(57)【要約】【課題】  有線ＬＡＮ接続が必要な機器と一体の状態で使用でき、電源の確保のみで有線ＬＡＮ機器の無線化を実現する無線化装置を提供する。【解決手段】  中央処理演算装置で制御された、無線通信を行う通信部と、給電部と、電源部を備えた無線化装置に、接続手段を介して接続された有線ＬＡＮ機器に対し無線通信機能を付与すると同時に電力供給を行う。【選択図】図１
2017184214.tif 000002
【特許請求の範囲】
【請求項１】
無線通信が可能な通信部を備え、
接続手段を介して電力供給を行う無線化装置であって、
概ね名刺サイズ又はそれより小さな筐体に必要な全機能を収めることで、
無線化対象機器と一体の状態で使用可能であることを特徴とする無線化装置。
【請求項２】
前記無線通信の規格が、無線ＬＡＮであることを特徴とする請求項１記載の無線化装置。
【請求項３】
前記電力供給にＰｏＥ（Ｐｏｗｅｒ  ｏｖｅｒ  Ｅｔｈｅｒｎｅｔ（登録商標））を使用することを特徴とする請求項１又は２に記載の無線化装置。
【請求項４】
前記筐体にＩＰ電話機に着脱自在形態で取り付けことを可能とした取り付け手段を設けてなることを特徴とする請求項１，２又は３記載の無線化装置。
【発明の詳細な説明】
【技術分野】
【０００１】  本発明は、有線ＬＡＮ接続が必要な機器の無線化に関するものである。
【背景技術】
【０００２】  オフィス内で使用されているＩＰ電話機の多くは有線ＬＡＮ接続が前提となっており、オフィスの無線ＬＡＮ化のボトルネックとなっている。【０００３】  また、前記ＩＰ電話機においては、電源ケーブルとＬＡＮケーブルの接続が必要であり、配線の煩雑さが生じ、ケーブルの取り回しの工夫が必要となる。【０００４】  前記ＩＰ電話機の多くは有線ＬＡＮケーブルからのＰｏＥ受電機能を備えるため、既存のＰｏＥ給電機能付スイッチングハブ等に接続することで、ＩＰ電話機の電源ケーブルが不要となる。【０００５】  しかしこれらスイッチングハブは上流ネットワークに有線接続することを意図しており、スイッチングハブまでの有線ＬＡＮの敷設工事等が必要である。【０００６】  またこの場合、有線ＬＡＮ機器の設置位置はスイッチングハブ等付近に限定され、オフィスレイアウトに制約が生じる。【０００７】  一方、ＰｏＥ経由で電力を得て動作する無線ＬＡＮアクセスポイントが存在し、これらを使用することで有線ＬＡＮ機器の無線化が実現できるが、これらでは有線ＬＡＮ機器に電力供給を行うことができず、かつ有線ＬＡＮの設置位置が無線ＬＡＮアクセスポイント付近に限定され、オフィスレイアウトに制約が生じる。【０００８】  また、有線ＬＡＮにＰｏＥを重畳する機能を備える製品が存在するが、これらは無線通信を行うために無線ＬＡＮコンバータが別途必要であり、有線ＬＡＮ機器の設置位置が無線ＬＡＮコンバータ付近に限定され、オフィスレイアウトに制約が生じる。【０００９】  さらに近年、オフィス内で職員の座席を固定せず、その時々で作業位置を決める、いわゆるフリーアドレスと呼ばれるオフィススタイルが存在するが、手持ちのＩＰ電話機を使用してフリーアドレスを実現しようとする場合、作業位置が電源と有線ＬＡＮポートを同時に確保できる場所に限定される。
【先行技術文献】
【特許文献】
【００１０】
【特許文献１】  特に無し。
【発明の概要】
【発明が解決しようとする課題】
【００１１】  有線ＬＡＮ接続が必要な機器と一体の状態で使用でき、電源の確保のみで有線ＬＡＮ機器の無線化を実現する無線化装置を提供する。
【課題を解決するための手段】
【００１２】  上記目的を達成するために、本発明は以下に述べるような構成としている。
＜請求項１記載の発明＞
無線通信が可能な通信部を備え、
接続手段を介して電力供給を行う無線化装置であって、
概ね名刺サイズ又はそれより小さな筐体に必要な全機能を収めることで、
無線化対象機器と一体の状態で使用可能であることを特徴とする無線化装置である。【００１３】＜請求項２記載の発明＞
前記無線通信の規格が、無線ＬＡＮであることを特徴とする請求項１記載の無線化装置である。【００１４】＜請求項３記載の発明＞
前記電力供給にＰｏＥを使用することを特徴とする請求項１又は２に記載の無線化装置である。【００１５】＜請求項４記載の発明＞
前記筐体にＩＰ電話機に着脱自在形態で取り付けことを可能とした取り付け手段を設けてなることを特徴とする請求項１，２又は３記載の無線化装置である。
【発明の効果】
【００１６】  無線化装置に無線化対象機器を、接続手段を介して接続することで、無線化対象機器に無線通信機能を付与すると同時に、無線化対象機器に対して電力供給を行うことが可能となる。【００１７】  前記接続状態で、無線化装置と無線化対象機器を面ファスナ、磁石等の取付手段で着脱自在形態で固定し、一体の状態で使用することで、電源が確保できる任意の場所に無線化対象機器を設置可能となる。
【図面の簡単な説明】
【００１８】
【図１】本発明の実施例１を示す構成図。
【図２】本発明の実施例２を示す側面図。
【図３】本発明の実施例２の４装置を連結した状態を示す側面図。
【発明を実施するための形態】
【００１９】  以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００２０】  図１に示す本発明の実施例において、無線化装置１０１は、通信部２０１と、給電部２０２と、電源部２０３と、中央処理演算装置２００と、これらを内蔵した筐体１００内とからなり、中央処理演算装置２００が各部を制御する。
無線化装置１０１は、電源から電力供給を受ける。
給電ポート２０４（ここでは「ＰｏＥ給電ポート」）を有する給電部２０２（ここでは「ＰｏＥ給電部」）は接続手段３０１（ここではＬＡＮケーブル）を介して接続された有線ＬＡＮ機器（ここでは「無線機能無しＰｏＥ受電ポート付きＩＰ電話機」）に対し電力供給を行い、通信部２０１（ここでは事業者内のアクセスポイントに無線接続する「ＷｉＦｉ」）に通信を中継する。
通信部２０１は無線通信を行う。【００２１】  筐体１００の大きさは、上面５５ｍｍ×下面９１ｍｍ以下の大きさないし５００５ｍｍ２以下の略四角形の上面面積および下面面積であり、厚みは１５ｍｍ以下である。
【実施例２】
【００２２】［付記］
＜付記１の発明＞
筐体と、この筐体から外に出された装置側電源プラグを有する装置側電源コードと、前記筐体に設けられたＰｏＥ（Ｐｏｗｅｒ  ｏｖｅｒ  Ｅｔｈｅｒｎｅｔ（登録商標））給電ポートとを備えてなるＰｏＥ給電装置であって、  アクセスポイントに無線接続する無線ＬＡＮ部を備え、ＰｏＥ受電ポートを有する無線通信機能の無いＩＰ電話機を前記ＰｏＥ給電ポートにＬＡＮケーブルで接続した状態で、前記無線ＬＡＮ部と前記アクセスポイントの無線通信による前記無線通信機能の無いＩＰ電話機による通話を可能としたことを特徴とする無線ＬＡＮ付きＰｏＥ給電装置。
無線通信機能の無いＩＰ電話機に本発明の無線ＬＡＮ付きＰｏＥ給電装置を接続したまま、事業所内の電源コンセントのある好みの使用箇所に携行して、該電源コンセントに無線ＬＡＮ付きＰｏＥ給電装置の電源プラグを接続させるだけで、ＩＰ電話機による通話を可能としている。
すなわち、アクセスポイントと無線ＬＡＮ部が通信可能な範囲（例えば事業所内）においては、本発明の無線ＬＡＮ付きＰｏＥ給電装置を接続したままの状態の無線通信機能の無いＩＰ電話機を携行して、近くの電源コンセントに無線ＬＡＮ付きＰｏＥ給電装置の電源プラグを接続するだけで、ＷｉＦｉ（Ｗｉｒｅｌｅｓｓ  Ｆｉｄｅｌｉｔｙ（登録商標））などの無線ＬＡＮによる無線通信機能の無いＩＰ電話機での通話を可能とするものである。
これによって、オフィス内で職員の座席を固定せず、その時々で作業位置を決める、いわゆるフリーアドレスと呼ばれるオフィススタイルで、個々人が手持ちの無線通信機能の無いＩＰ電話機を使用してフリーアドレスを容易に実現する。
また、現在使用している無線通信機能の無いＰｏＥ受電ポートを有するＩＰ電話機を無線ＬＡＮ内蔵型ＩＰ電話機に買い替えることなく、低コストで無線ＬＡＮの付いたＩＰ電話機を実現するので、資源の有効利用と経費の支出を軽減する。【００２３】＜付記２の発明＞
前記装置側電源コードの長さが３０ｃｍより短いものであることを特徴とする請求項１記載の無線ＬＡＮ付きＰｏＥ給電装置。
（１）ＡＣ電源コンセントが電話機を置くテーブルなど近くにある場合は、３０ｃｍ未満の長さの装置側電源コードのままで接続して使用できるので、長い電源ケーブルの引き回しの無い状態での使用、景観を実現する。
ＡＣ電源コンセントが遠くにある場合は、プラグとコンセントを有する延長電源コードを接続した延長電源コード形態で使用することができる。
（２）複数のＡＣ電源コンセント部位を有するマルチタップに、複数の本発明の無線ＬＡＮ付きＰｏＥ給電装置の３０ｃｍより短い装置側電源プラグを接続して、それぞれの無線ＬＡＮ付きＰｏＥ給電装置にＰｏＥ受電ポートを有する機器を接続して給電し使用することができる。
すなわち、複数のＰｏＥ給電ポートを有するＰｏＥ給電装置として機能させることを実現する。【００２４】＜付記３の発明＞
前記筐体に装置側電源コンセントが設けられ、該筐体の第１の面に面ファスナ、磁石などの第１の連結手段が設けられ、該筐体の前記第１の面とは異なる面に面ファスナ、磁石などの前記第１の連結手段と着脱可能形態で連結される第２の連結手段が設けられてなるとともに、
前記筐体の複数（第１の筐体、第２の筐体、第３の筐体・・・）を前記第１の連結手段と前記第２の連結手段によって連結して一体化することが可能とされ、
前記第１の筐体の前記装置側電源プラグである第１の装置側電源プラグをＡＣ電源コンセントに接続し、
前記第１の筐体の前記装置側コンセントである第１の装置側コンセントに前記第２の筐体の前記装置側電源プラグである第２の装置側電源プラグを接続し、
前記第２の筐体の前記装置側コンセントである第２の装置側コンセントに前記第３の筐体の前記装置側電源プラグである第３の装置側電源プラグを接続して、接続された全ての筐体が電源接続状態となることを可能としたことを特徴とする付記１又は２の何れか１項に記載の無線ＬＡＮ付きＰｏＥ給電装置。
一本の装置側電源プラグのＡＣ電源コンセントへの接続により、連結一体化された複数の筐体が電源接続状態となる形態を実現している。すなわち、複数のＰｏＥ給電ポートを有するＰｏＥ給電装置を実現可能としている。
【産業上の利用可能性】
【００２５】  本発明は、無線通信機能を有さず且つＰｏＥ受電ポートを有するＩＰ電話機などの無線通信機能無し通信機器を使用している事業所などで利用される。
【符号の説明】
【００２６】１００：筐体、
１０１：無線化装置、
２００：中央処理演算装置、
２０１：通信部、
２０２：給電部、
２０３：電源部、
２０４：給電ポート、
３０１：接続手段。
【図１】
2017184214.tif 000003
【図２】
2017184214.tif 000004
【図３】
2017184214.tif 000005